(57)【要約】【課題】  本発明の課題は、安全保護管理された領域に、外来者を、簡単に、容易に、引率できるシステムを提供することである。【解決手段】  引率人数登録依頼の入力を受け付けて、扉を開いて、引率人数を計測して、これを含む引率データを送信して、ＩＣカードが除去されたことを検知して、一人が通過したことを計測して、扉を閉じる受付入場門装置と、引率者識別情報送信要求を受け付けて、引率者識別情報を返信して、引率データを、受信して記録して、引率データ送信要求を受け付けて、引率データを返信するＩＣカードと、引率データ送信要求を発行して、引率データを受信して、扉を開いて、通過人数を計測して、これが引率データの引率人数より、大きければ、扉を閉じて、以下であれば、ＩＣカードが除去されたことを検知して、一人が通過したことを計測して、扉を閉じる通過門装置と、から構成される引率入場管理システムである。【選択図】  図１
2008059572.tif 000002
【特許請求の範囲】
【請求項１】
接触型、または、非接触型ＩＣカードと、受付入場門装置と、通過門装置と、から構成される引率入場管理システムであって、
前記受付入場門装置は、
引率者認証情報を記憶する記憶手段と、
引率人数登録依頼の入力を受け付けて、引率者識別情報送信要求をＩＣカードに発行する引率者識別情報送信要求手段と、
引率者識別情報を、ＩＣカードから受信して、引率者認証情報と照合して、引率者認証する引率者認証手段と、
扉を開く開扉手段と、
受付入場門装置を通った引率人数を計測する引率人数計測手段と、
前記計測された引率人数を含む引率データを作成する引率データ作成手段と、
ＩＣカードが除去されたことを検知して、一人が通過したことを計測して、扉を閉じる閉扉手段と、
を備える入場門装置であって、
前記ＩＣカードは、
引率者識別情報を記憶する記憶手段と、
引率者識別情報送信要求を、受付入場門装置から、受け付けて、引率者識別情報を返信する引率者識別情報返信手段と、
引率データを、受付入場門装置から受信する引率データ受信手段と、
前記受信した引率データを記録する引率データ記録手段と、
引率データ送信要求を通過門装置から受け付けて、引率データを返信する引率データ返信手段と、
を備えるＩＣカードであって、
前記通過門装置は、
引率データ送信要求を、ＩＣカードに発行する引率データ送信要求手段と、
引率データを、ＩＣカードから受信して保持する引率データ受信手段と、
扉を開く開扉手段と、
通過門装置を通過した通過人数を計測する通過人数計測手段と、
通過人数と引率データの引率人数とを比較して、大小の判定をする判定手段と、
大小の判定の内容が、通過人数が、引率人数より、大きければ、扉を閉じる警告閉扉手段と、
ＩＣカードが除去されたことを検知して、一人が通過したことを計測して、扉を閉じる閉扉手段と、
判定結果の内容を警告表示する警告表示手段と、
を備える通過門装置である、
ことを特徴とする引率入場管理システム。
【請求項２】
前記通過門装置は、
引率者認証情報を記憶する記憶手段と、
引率者識別情報送信要求を、ＩＣカードに、発行する引率者識別情報送信要求手段と、
引率者識別情報を受信して、認証情報と照合して、認証する認証手段と、
を備える通過門装置であって、
前記ＩＣカードは、
前記引率者識別情報返信手段が、引率者識別情報送信要求を、通過門装置から、受け付けて、引率者識別情報を返信する
ＩＣカードである、
ことを特徴とする請求項１に記載の引率入場管理システム。
【請求項３】
接触型、または、非接触型ＩＣカードと、通過門装置と、から構成される引率入場管理システムであって、
前記通過門装置は、
引率人数登録依頼の入力を受け付けて、引率者識別情報送信要求をＩＣカードに発行する引率者識別情報送信要求手段と、
引率者識別情報を、ＩＣカードから、受信して、認証情報と照合して、認証する認証手段と、
扉を開く開扉手段と、
受付入場門装置を通った引率人数を計測する引率人数計測手段と、
前記引率人数を含む引率データを作成して、ＩＣカードに送信する引率データ作成送信手段と、
ＩＣカードが除去されたことを検知して、一人が通過したことを計測して、扉を閉じる閉扉手段と、
引率データ送信要求を、ＩＣカードに発行する引率データ送信要求手段と、
引率データを、ＩＣカードから受信して保持する引率データ受信手段と、
通過門装置を通過した通過人数を計測する通過人数計測手段と、
通過人数と引率データの引率人数とを比較して、大小を判定する判定手段と、
判定の内容が、通過人数が、引率人数より、大きければ、扉を閉じる警告閉扉手段と、
ＩＣカードが除去されたことを検知して、一人が通過したことを計測して、扉を閉じる閉扉手段と、
判定結果の内容を警告表示する警告表示手段と、
を備える通過門装置であって、
ＩＣカードは、
引率者識別情報を記憶する記憶手段と、
引率データを、通過門装置から受信して、これを記録する引率データ受信記録手段と、
引率データ送信要求を、通過門装置から受け付けて、引率データを返信する引率データ返信手段と、
を備えるＩＣカードである、
ことを特徴とする引率入場管理システム。
【請求項４】
引率者識別情報を記憶するＩＣカードを用いる引率入場方法であって、
引率人数登録依頼の入力を受け付けて、引率者識別情報を、ＩＣカードから、受信して、
認証情報と照合して、認証して、扉を開く開扉ステップと、
引率人数を計測して、これを含む引率データを作成して、ＩＣカードに記録する引率データ記録ステップと、
ＩＣカードが除去されたことを検知して、一人が通過したことを計測して、扉を閉じる閉扉ステップと、
通過人数を計測する通過人数計測ステップと、
通過人数と、ＩＣカードが記録する引率データの引率人数と、を比較して、大小を判定する判定ステップと、
判定の内容が、通過人数が、引率人数より、大きければ、扉を閉じて、または、ＩＣカードが除去されたことが検知されれば、一人が通過したことを計測して、扉を閉じる閉扉ステップと、
判定結果の内容を警告表示する警告表示ステップと、
を含んだ手順でなされることを特徴とする引率入場方法。
【請求項５】
前記通過人数計測ステップが、引率者識別情報を、ＩＣカードから、受信して、認証情報と照合して、認証して、通過人数を計測する、
手順でなされることを特徴とする請求項４に記載の引率入場方法。
【請求項６】
コンピュータに組込むことによって、コンピュータを請求項１から、請求項３までのいずれか1項に記載の引率入場管理システムとして動作させるコンピュータプログラム。
【請求項７】
請求項６に記載のコンピュータプログラムを記録したコンピュータ読取り可能な記録媒体。
【発明の詳細な説明】
【技術分野】
【０００１】
本発明は、引率者が、安全保護領域（たとえば、セキュリティ管理された建物）に、来場者（たとえば、建物への訪問者）を引率するシステム、および、その方法に関するものである。
【背景技術】
【０００２】
従来から、安全保護領域への入場を許可された引率者が、外来者を引率して、所定の領域を案内している。
【０００３】
たとえば、特許文献１では、マンションの住人が、マンション入口で、引率する人数をテンキー入力させて、入館者の実人数を計測して、テンキー入力した引率人数とり、入館実人数が多ければ、警告を発する技術が開示されている。（従来技術１）
特許文献２では、セキュリティルームに引率される人に入室証を配布しておき、入室するときに入室者認証をしてから、セキュリティルーム前の待機室に案内して、入室者認証の数と待機室におる実人数とを比較して、両者が一致すれば、待機室からセキュリティルームへの入室を許可する技術が開示されている。（従来技術２）
【特許文献１】特開２００６−１２００８６号公報（４−５ページ、図１，２）
【特許文献２】特開２００５−２７２０８８号公報（１５−１６ページ、図１，４−１０）
【発明の開示】
【発明が解決しようとする課題】
【０００４】
ところで、従来技術１では、共連れの中に、不審者が紛れ込んでいると、警告が発せられても、入館を阻止するわけではないので、入館できてしまうという問題点があった。また、従来技術２では、引率される人に、入室証を配布しなければならず、配布の手間を要するという欠点があった。
【０００５】
本発明はこのような従来技術を考慮してなされたものであって、本発明の課題は、安全保護管理された領域に、外来者を、簡単に、容易に、引率できるシステム、および、その方法を提供することである。
【課題を解決するための手段】
【０００６】
本発明は、以下のような解決手段により、前記課題を解決する。すなわち、請求項１の発明は、接触型、または、非接触型ＩＣカードと、受付入場門装置と、通過門装置と、から構成される引率入場管理システムであって、前記受付入場門装置は、引率者認証情報を記憶する記憶手段と、引率人数登録依頼の入力を受け付けて、引率者識別情報送信要求をＩＣカードに発行する引率者識別情報送信要求手段と、引率者識別情報を、ＩＣカードから受信して、引率者認証情報と照合して、引率者認証する引率者認証手段と、扉を開く開扉手段と、受付入場門装置を通った引率人数を計測する引率人数計測手段と、前記計測された引率人数を含む引率データを作成する引率データ作成手段と、ＩＣカードが除去されたことを検知して、一人が通過したことを計測して、扉を閉じる閉扉手段と、を備える入場門装置であって、前記ＩＣカードは、引率者識別情報を記憶する記憶手段と、引率者識別情報送信要求を、受付入場門装置から、受け付けて、引率者識別情報を返信する引率者識別情報返信手段と、引率データを、受付入場門装置から受信する引率データ受信手段と、前記受信した引率データを記録する引率データ記録手段と、引率データ送信要求を通過門装置から受け付けて、引率データを返信する引率データ返信手段と、を備えるＩＣカードであって、前記通過門装置は、引率データ送信要求を、ＩＣカードに発行する引率データ送信要求手段と、引率データを、ＩＣカードから受信して保持する引率データ受信手段と、扉を開く開扉手段と、通過門装置を通過した通過人数を計測する通過人数計測手段と、通過人数と引率データの引率人数とを比較して、大小の判定をする判定手段と、大小の判定の内容が、通過人数が、引率人数より、大きければ、扉を閉じる警告閉扉手段と、ＩＣカードが除去されたことを検知して、一人が通過したことを計測して、扉を閉じる閉扉手段と、判定結果の内容を警告表示する警告表示手段と、を備える通過門装置である、ことを特徴とする引率入場管理システムである。
【０００７】
ここで、受け付けで登録した引率人数より、通過門装置を通過した通過人数が増えると、通過門装置の扉を閉じるので、引率された人に紛れ込んだ不審者を安全保護管理された領域に、入場することを阻止することが可能となる。また、引率される人は、入室証を所持する必要は無い。
【０００８】
請求項２の発明は、前記通過門装置は、引率者認証情報を記憶する記憶手段と、引率者識別情報送信要求を、ＩＣカードに、発行する引率者識別情報送信要求手段と、引率者識別情報を受信して、認証情報と照合して、認証する認証手段と、を備える通過門装置であって、前記ＩＣカードは、前記引率者識別情報返信手段が、引率者識別情報送信要求を、通過門装置から、受け付けて、引率者識別情報を返信するＩＣカードである、ことを特徴とする請求項１に記載の引率入場管理システムである。
【０００９】
ここで、安全保護領域を分割し領域に、通過門装置を設置して、引率者認証することが可能となる。
【００１０】
請求項３の発明は、接触型、または、非接触型ＩＣカードと、通過門装置と、から構成される引率入場管理システムであって、前記通過門装置は、引率人数登録依頼の入力を受け付けて、引率者識別情報送信要求をＩＣカードに発行する引率者識別情報送信要求手段と、引率者識別情報を、ＩＣカードから、受信して、認証情報と照合して、認証する認証手段と、扉を開く開扉手段と、受付入場門装置を通った引率人数を計測する引率人数計測手段と、前記引率人数を含む引率データを作成して、ＩＣカードに送信する引率データ作成送信手段と、ＩＣカードが除去されたことを検知して、一人が通過したことを計測して、扉を閉じる閉扉手段と、引率データ送信要求を、ＩＣカードに発行する引率データ送信要求手段と、引率データを、ＩＣカードから受信して保持する引率データ受信手段と、通過門装置を通過した通過人数を計測する通過人数計測手段と、通過人数と引率データの引率人数とを比較して、大小を判定する判定手段と、判定の内容が、通過人数が、引率人数より、大きければ、扉を閉じる警告閉扉手段と、ＩＣカードが除去されたことを検知して、一人が通過したことを計測して、扉を閉じる閉扉手段と、判定結果の内容を警告表示する警告表示手段と、を備える通過門装置であって、ＩＣカードは、引率者識別情報を記憶する記憶手段と、引率データを、通過門装置から受信して、これを記録する引率データ受信記録手段と、引率データ送信要求を、通過門装置から受け付けて、引率データを返信する引率データ返信手段と、を備えるＩＣカードである、ことを特徴とする引率入場管理システムである。
【００１１】
請求項４の発明は、引率者識別情報を記憶するＩＣカードを用いる引率入場方法であって、引率人数登録依頼の入力を受け付けて、引率者識別情報を、ＩＣカードから、受信して、認証情報と照合して、認証して、扉を開く開扉ステップと、引率人数を計測して、これを含む引率データを作成して、ＩＣカードに記録する引率データ記録ステップと、ＩＣカードが除去されたことを検知して、一人が通過したことを計測して、扉を閉じる閉扉ステップと、通過人数を計測する通過人数計測ステップと、通過人数と、ＩＣカードが記録する引率データの引率人数と、を比較して、大小を判定する判定ステップと、判定の内容が、通過人数が、引率人数より、大きければ、扉を閉じて、または、ＩＣカードが除去されたことが検知されれば、一人が通過したことを計測して、扉を閉じる閉扉ステップと、判定結果の内容を警告表示する警告表示ステップと、を含んだ手順でなされることを特徴とする引率入場方法である。
【００１２】
請求項５の発明は、前記通過人数計測ステップが、引率者識別情報を、ＩＣカードから、受信して、認証情報と照合して、認証して、通過人数を計測する、手順でなされることを特徴とする請求項４に記載の引率入場方法である。
【００１３】
請求項６の発明は、コンピュータに組込むことによって、コンピュータを請求項１から、請求項３までのいずれか1項に記載の引率入場管理システムとして動作させるコンピュータプログラムである。
【００１４】
請求項７の発明は、請求項６に記載のコンピュータプログラムを記録したコンピュータ読取り可能な記録媒体である。
【発明の効果】
【００１５】
本願発明によれば、引率される人に紛れ込んだ不審者を安全保護管理された領域に、入場することを阻止することが可能である。また、引率者が、引率される人に入室証を配布するなどの手続きをせずに、安全保護管理に、引率することが可能である。
【発明を実施するための最良の形態】
【００１６】
（実施例）
以下、図面等を参照しながら、本発明の実施の形態について、更に詳しく説明する。
【００１７】
図１は、引率入場管理システムの概要を説明する図である。引率入場管理システム１は、接触型、または、非接触型ＩＣカード１００と、受付入場門装置３００と、通過門装置５００と、から構成される。
【００１８】
ＩＣカード１００は、引率者が保持するＩＣカードであり、引率者識別情報１９１を記憶しており、受付入場門装置３００から引率データ１９５を受信して記憶する。受付入場門装置３００は、受付入場門に設置された装置であり、ＩＣカード読書装置を備える。この受付入場門装置３００は、引率者認証情報３９１を記憶している。通過門装置５００は、通過門に設置された装置であり、ＩＣカード読取装置を備える。この通過門装置５００は、引率者認証情報３９１を記憶している。
【００１９】
受付入場門装置３００は、安全保護領域９００への入場を管理する。通過門装置５００は、安全保護領域９００内の限定された安全保護領域９００への入場を管理する。
【００２０】
なお、受付入場門装置３００と通過門装置５００とは、区別せずに、同じ装置を用いてもよい。この場合、１つの装置で両者の機能を兼ね備える必要がある。
【００２１】
図２は、引率入場管理システム１の処理の流れを説明する図である。
【００２２】
ＩＣカード１００を保持した引率者と、引率される人が、受付入場門を通過する際には、まず、受付入場門装置３００は、引率人数登録依頼の入力を受け付けて、引率者識別情報送信要求をＩＣカード１００に発行する（図２（１））。ここで、引率人数登録依頼の入力とは、具体的には、ＩＣカード読書装置にがＩＣカード１００の接近を検知したことを意味する。ＩＣカード１００は、引率者識別情報送信要求を、受付入場門装置３００から、受け付けて、引率者識別情報１９１を返信する（同（２））。
【００２３】
受付入場門装置３００は、引率者識別情報１９１を、ＩＣカード１００から受信して、引率者認証情報３９１と照合して、認証して、扉を開く（同（３））。
【００２４】
受付入場門装置３００は、受付入場門装置を通った引率人数を計測して、引率人数を含む引率データ１９５を作成して、ＩＣカード１００に送信する（同（４））。引率人数計測の具体的な処理については、後述する。ＩＣカード１００は、引率データ１９５を、受付入場門装置３００から受信して、これを記録する（同（５））。
【００２５】
受付入場門装置３００は、ＩＣカード１００が除去されたことを検知して、一人が通過したことを計測して、扉を閉じる（同（６））。一人が通過したことの計測は、人感センサー等の公知の検知センサーを用いて行うことができる。図２（１）から図２（６）までのような処理を行うことにより、安全保護領域９００に入場した引率人数が、ＩＣカード１００内の引率データ１９５の一部として正確に記録されることになる。
【００２６】
ＩＣカード１００を保持した引率者と、引率される人が、通過門を通過する際には、通過門装置５００は、引率者識別情報送信要求を、ＩＣカード１００に発行する（同（２１））。ＩＣカード１００は、引率者識別情報送信要求を、通過門装置５００から受け付けて、引率者識別情報１９１を返信する（同（２２））。
【００２７】
通過門装置５００は、引率者識別情報１９１をＩＣカード１００から受信して、引率者認証情報３９１と照合して、引率者認証する。そして、通過門装置５００は、引率データ送信要求を、ＩＣカード１００に発行する（同（２３））。
【００２８】
なお、通過門装置５００は、引率者認証をしないでもよい。
【００２９】
ＩＣカード１００は、引率データ送信要求を通過門装置５００から受け付けて、引率データ１９５を返信する（同（２４））。通過門装置５００は、引率データ１９５を、ＩＣカード１００から受信して、保持する（同（２５））。
【００３０】
通過門装置５００は、通過門装置を通過した通過人数を計測して、通過人数と引率データ１９５の引率人数とを比較して、大小の判定をする（同（２６））。通過人数計測の具体的な処理については、後述する。
【００３１】
通過門装置５００は、大小の判定の内容が、通過人数が、引率人数より、大きければ、扉を閉じて、警告表示する（同（２７））。
【００３２】
このように、引率される人の中に不審者が紛れ込んでいると、通過門において、これを検知することができる。
【００３３】
通過門装置５００は、ＩＣカード１００が除去されたことを検知して、一人が通過したことを計測して、扉を閉じる。もしも、通過門装置５００を引率した人数（引率者は除く）が、引率データ１９５の引率人数より少なければ、警告を表示する（同（２８））。
【００３４】
つまり、引率される人の中に、迷子や脱落者が出ると人数が不足するので、それに気づくという効果がある。
【００３５】
また、ＩＣカード１００には、利用した通過門装置名称情報を記録して、引率が終了したら、これを回収して、引率結果の分析管理に利用してもよい。なお、引率が終了したら、ＩＣカード１００の引率データ１９５は、削除される。
【００３６】
図３は、引率入場管理システム１の詳細な構成図である。引率入場管理システム１は、接触型、または、非接触型ＩＣカード１００と、受付入場門装置３００と、通過門装置５００と、から構成される。
【００３７】
ＩＣカード１００は、引率者識別情報返信手段１２０と、引率データ受信手段１５５と、引率データ記録手段１３０と、引率データ返信手段１３５と、記憶手段１９０と、を備える。記憶手段１９０は、引率者識別情報１９１を記憶している。
【００３８】
引率者識別情報返信手段１２０は、引率者識別情報送信要求を、受付入場門装置３００から、または、通過門装置５００から、受け付けて、引率者識別情報１９１を返信する機能を有している。
【００３９】
引率データ受信手段１５５は、引率データ１９５を、受付入場門装置３００から受信する機能を有している。引率データ記録手段１３０は、前記受信した引率データ１９５を記録する機能を有している。
【００４０】
引率データ返信手段１３５は、引率データ送信要求を通過門装置５００から受け付けて、引率データ１９５を返信する機能を有している。
【００４１】
受付入場門装置３００は、引率者識別情報送信要求手段３１０と、引率者認証手段３２０と、引率人数計測手段３３０と、引率データ作成手段３５０と、引率データ送信手段３５５と、開扉手段３４０と、閉扉手段３７０と、記憶手段３９０と、を備える。記憶手段３９０は、引率者認証情報３９１を記憶している。
【００４２】
引率者識別情報送信要求手段３１０は、引率人数登録依頼の入力を受け付けて、引率者識別情報送信要求をＩＣカード１００に発行する機能を有している。引率者認証手段３２０は、引率者識別情報１９１を、ＩＣカード１００から受信して、引率者認証情報３９１と照合して、引率者認証する機能を有している。
【００４３】
開扉手段３４０は、扉を開く機能を有している。
【００４４】
引率人数計測手段３３０は、受付入場門装置３００を通った引率人数を計測する機能を有している。この引率人数計測手段３３０は、人感センサー等の公知の検知センサーを用いて実現することができる。引率データ作成手段３５０は、前記計測された引率人数を含む引率データ１９５を作成する機能を有している。
【００４５】
引率データ送信手段３５５は、前記作成された引率データ１９５を、ＩＣカード１００に送信する機能を有している。引率人数計測手段３３０、引率データ作成手段３５０、引率データ送信手段３５５は互いに連携し、ＩＣカード１００が除去されるまでは、通過を検知するたびに、引率人数を追加して引率データ１９５を作成し、ＩＣカード１００に送信する処理を行う。
【００４６】
閉扉手段３７０は、ＩＣカード１００が除去されたことを検知して、一人が通過したことを計測して、扉を閉じる機能を有している。
【００４７】
前記通過門装置５００は、引率者識別情報送信要求手段５１０と、引率者認証手段５２０と、引率データ送信要求手段５３５と、引率データ受信手段５３７と、開扉手段５４０と、通過人数計測手段５５０と、判定手段５６０と、警告閉扉手段５７４と、閉扉手段５７０と、警告表示手段５８０と、記憶手段５９０と、を備える。記憶手段５９０は、引率者認証情報３９１を記憶している。
【００４８】
引率者識別情報送信要求手段５１０は、引率者識別情報送信要求を、ＩＣカード１００に発行する機能を有している。引率者認証手段５２０は、引率者識別情報１９１を受信して、引率者認証情報３９１と照合して、引率者認証する機能を有している。
【００４９】
引率データ送信要求手段５３５は、引率データ送信要求を、ＩＣカード１００に発行する。引率データ受信手段５３７は、引率データ１９５を、ＩＣカード１００から受信して保持する機能を有している。
【００５０】
開扉手段５４０は、扉を開く機能を有している。
【００５１】
通過人数計測手段５５０は、通過門装置５００を通過した通過人数を計測する機能を有している。この通過人数計測手段５５０は、引率人数計測手段３３０と同様、人感センサー等の公知の検知センサーを用いて実現することができる。
【００５２】
判定手段５６０は、通過人数と引率データ１９５の引率人数とを比較して、大小の判定をする機能を有している。
【００５３】
警告閉扉手段５７４は、大小の判定の内容が、通過人数が、引率人数より、大きければ、扉を閉じる機能を有している。
【００５４】
閉扉手段５７０は、ＩＣカード１００が除去されたことを検知して、一人が通過したことを計測して、扉を閉じる機能を有している。
【００５５】
警告表示手段５８０は、判定結果の内容を警告表示する機能を有している。
【００５６】
引率者識別情報返信手段１２０と、引率データ受信手段１５５と、引率データ記録手段１３０と、引率データ返信手段１３５と、引率者識別情報送信要求手段３１０と、引率者認証手段３２０と、開扉手段３４０と、引率人数計測手段３３０と、引率データ作成手段３５０と、引率データ送信手段３５５と、閉扉手段３７０と、引率者識別情報送信要求手段５１０と、引率者認証手段５２０と、引率データ送信要求手段５３５と、引率データ受信手段５３７と、開扉手段５４０と、通過人数計測手段５５０と、判定手段５６０と、警告閉扉手段５７４と、閉扉手段５７０は、コンピュータプログラムにより実現される。
【００５７】
引率者識別情報１９１と、引率者認証情報３９１は、コンピュータプログラムが可読なデータである。
【００５８】
記憶手段１９０と、記憶手段３９０と、記憶手段５９０は、メモリである。
【００５９】
以上詳しく説明したように、本願発明によれば、引率される人に紛れ込んだ不審者を安全保護管理された領域に、入場することを阻止することが可能となった。また、引率者が、引率される人に入室証を配布するなどの手続きをせずに、安全保護管理された領域に、引率することが可能となった。
【図面の簡単な説明】
【００６０】
【図１】引率入場管理システム１の全体構成図である。
【図２】引率入場管理システム１の処理の流れを説明する図である。
【図３】引率入場管理システム１の詳細な構成図である。
【符号の説明】
【００６１】
１  引率入場管理システム
１００  ＩＣカード
１２０  引率者識別情報返信手段
１３０  引率データ記録手段
１３５  引率データ返信手段
１５５  引率データ受信手段
１９０  記憶手段
１９１  引率者識別情報
１９５  引率データ
３００  受付入場門装置
３１０  引率者識別情報送信要求手段
３２０  引率者認証手段
３３０  引率人数計測手段
３４０  開扉手段
３５０  引率データ作成手段
３５５  引率データ送信手段
３７０  閉扉手段
３９０  記憶手段
３９１  引率者認証情報
５００  通過門装置
５１０  引率者識別情報送信要求手段
５２０  引率者認証手段
５３５  引率データ送信要求手段
５３７  引率データ受信手段
５４０  開扉手段
５５０  通過人数計測手段
５６０  判定手段
５７０  閉扉手段
５７４  警告閉扉手段
５８０  警告表示手段
５９０  記憶手段
【図１】
2008059572.tif 000003
【図２】
2008059572.tif 000004
【図３】
2008059572.tif 000005